(57)【要約】【課題】  贈呈品の提供を受ける贈呈先に対して、新たな贈呈品選定の手法を提供する。【解決手段】  贈呈品選定システムＧＳは、贈呈先が贈呈品を選定する際の助力を図るものであり、ネットワークＮＷを介して贈呈先のコンピュータＣＣＳと接続されている。贈呈品サーバ１１０は、複数の値段ランクごとに、その値段ランクに区分される贈呈品の画像データを含むランク別贈呈品データを記憶する。そして、贈呈先がコンピュータＣＣＳの操作を経て贈呈品サーバ１００にアクセスすると、贈呈品サーバ１００は、贈呈先ごとのＩＤ・ＰＷに対応付けた値段ランクに含まれる商品（贈呈品）を、画像データを用いて贈呈先のコンピュータＣＣＳのディスプレイに提示する。よって、贈呈先は、商品カタログを見ながら商品選定を行う変わりに、ディスプレイに表示される商品を見ながら、商品選定を行う。【選択図】  図１
2006309374.tif 000002
【特許請求の範囲】
【請求項１】
贈呈品の提供を受ける贈呈先に対して、贈呈品の選定をネットワークを介して助力する贈呈品選定システムであって、
前記ネットワークと接続された贈呈品サーバを備え、
該贈呈品サーバは、
複数の値段ランクの各値段ランクと、各値段ランクに含まれる贈呈品を特定するための贈呈品データとを対にしたランク別贈呈品データを記憶する贈呈品データ記憶部と、
前記贈呈先への贈呈品提供を意図する贈呈主から贈呈品提供の依頼を受けると、前記贈呈主から示された贈呈品の値段ランクと贈呈先識別のための識別データとを対にした贈呈先関連データを、前記贈呈主から示された前記値段ランクごとの贈呈品提供数に応じて前記値段ランクごとに作成し、該作成した贈呈先関連データを記憶する贈呈先関連データ記憶部と、
前記識別データを受け取った贈呈先が前記ネットワークに接続された端末を操作して行う前記識別データの入力を待機する入力待機部と、
該入力のあった前記識別データに対応する前記値段ランクを、前記贈呈先関連データ記憶部が記憶した前記贈呈先関連データに基づいて決定し、該決定した値段ランクに含まれる前記贈呈品を、前記決定した値段ランクについて前記贈呈品データ記憶部が記憶した前記ランク別贈呈品データの前記贈呈品データに基づいて、前記端末に前記ネットワークを介して提示する贈呈品提示部とを備える
贈呈品選定システム。
【請求項２】
請求項１記載の贈呈品選定システムであって、
前記贈呈先関連データ記憶部は、
前記贈呈主が定める前記値段ランクと、その値段ランクごとの贈呈品提供数とを、前記贈呈主が操作する端末からネットワークを介して受領する依頼受領部を有する
贈呈品選定システム。
【請求項３】
請求項１または請求項２記載の贈呈品選定システムであって、
前記贈呈品データ記憶部は、
ネットワークを介して接続された外部のクライアントから、贈呈品の価格データと贈呈品を画像表示する画像データとを含むメーカ側情報を受領して記憶するメーカ情報受領部と、
該受領した前記価格データと前記画像データとを、前記価格データに対応する値段ランクと、前記画像データにリンクできるリンク情報を含む前記贈呈品データに処理するデータ処理部とを有する
贈呈品選定システム。
【請求項４】
請求項３記載の贈呈品選定システムであって、
前記外部のクライアントは、前記贈呈品のメーカ或いは販売業者である
贈呈品選定システム。
【請求項５】
請求項３記載の贈呈品選定システムであって、
前記メーカ情報受領部は、
前記贈呈品のメーカを特定するメーカ特定データを前記メーカ側情報の一つとして受領し、
前記データ処理部は、
前記贈呈品について、前記値段ランクと、前記贈呈品データと、前記メーカ特定データと、前記贈呈品が分類される分類データとを対応付けた贈呈品データ群を作成し、
前記贈呈品提示部は、
前記決定した値段ランクについての前記ランク別贈呈品データに基づいた前記端末への贈呈品提示を、前記贈呈品データ群における前記メーカ特定データ或いは分類データに基づいたメーカ別提示、或いは贈呈品分類別提示として実行する
贈呈品選定システム。
【請求項６】
請求項３ないし請求項５いずれか記載の贈呈品選定システムであって、
前記メーカ情報受領部は、
前記メーカ或いは前記販売業者が前記ネットワークに接続して備えるメーカ側サーバにて更新される前記メーカ側情報を、前記メーカ側サーバから前記ネットワークを介して取り込んで更新する
贈呈品選定システム。
【請求項７】
請求項１ないし請求項６いずれか記載の贈呈品選定システムであって、
前記贈呈品サーバは、
更に、
前記贈呈品提示部が提示した贈呈品の発注と、発注贈呈品の送付に関する送付先データとの入力を、前記端末から受け付ける発注受付部と、
該受け付けた発注贈呈品についての前記贈呈品データと前記送付先データを、前記発注贈呈品のメーカが前記ネットワークに接続して備えるメーカ側サーバに送信し、該メーカ側サーバに対して前記メーカからの贈呈品発送を依頼する発送依頼部とを有する
贈呈品選定システム。
【請求項８】
請求項７記載の贈呈品選定システムであって、
前記メーカ側サーバは、
前記贈呈品サーバに対して、発送した贈呈品に対する費用請求を行う請求部を有する
贈呈品選定システム。
【請求項９】
請求項７または請求項８記載の贈呈品選定システムであって、
前記贈呈先関連データ記憶部は、
前記贈呈主からの前記贈呈品提供の依頼に際し、前記贈呈主が贈呈品提供を意図する贈呈先と、贈呈先ごとの贈呈品の前記値段ランクと、贈呈先ごとの前記送付先データとを受領すると、前記贈呈主が意図した贈呈先ごとに前記値段ランクと前記識別データと前記送付先データとを対として前記贈呈先関連データを作成・記憶し、
前記発注受付部は、
前記端末からの贈呈品発注を受けた場合、前記端末から入力のあった前記識別データと前記贈呈先関連データとに基づいて、前記端末入力の前記識別データに対応する前記送付先データを読み込み、前記端末からの前記送付先データの入力を簡略化する
贈呈品選定システム。
【発明の詳細な説明】
【技術分野】
【０００１】
本発明は、贈呈品の贈呈先に対して、贈呈品の選定をネットワークを介して助力する贈呈品選定システムに関する。
【背景技術】
【０００２】
結婚式や法要等の際には、その式参列者に贈呈品を贈ることが慣習化されている。近年では、贈呈品の手渡し・持ち帰りに代わり、贈呈品を掲載した商品カタログを式参列者に手渡し、その式参列者が商品カタログから商品を選択することも行われている。
【０００３】
しかしながら、贈呈品として選定可能な商品は多数存在するために、贈呈品の選択の幅を広げようとすると商品カタログに掲載する商品数も多くなり、当然に、商品カタログのページ数が多くなる。こうなると、商品選定に際して多くの商品掲載ページの商品をページ送りしながら見なければならないので、商品選定に際して、贈呈先に無駄な労力を強いることにもなっていた。
【０００４】
また、通常、贈呈品の贈呈主は、贈呈品を式参列者等の贈呈先に贈るに際し、その贈呈先に対して贈呈する品物の値段を決める。葬儀参列を例に取り説明すると、親族と近隣の住人とで、贈呈品の値段を変えることがしばしば行われている。このため、贈呈品を掲載した商品カタログを値段ごとに多種類用意して、贈呈先に対して贈呈主が決めた値段の商品掲載の商品カタログをその贈呈先に渡している。こうした値段ごとの商品カタログであっても、その値段に含まれる商品はやはり多数存在するので、上記の労力が必要であることに変わりはなかった。
【０００５】
ところで、インターネット等のネットワークが普及したことから、こうした贈呈品贈呈についてもネットワークを利用した技術が提案されつつある（例えば、特許文献１、２）。
【０００６】
【特許文献１】特開２００３−５８７５６号公報
【特許文献２】特開２００４−８６７８１号公報
【０００７】
こうした特許文献によれば、贈呈品の送り側である贈呈主の贈呈品決定の簡便化や、贈呈品提供業者での贈呈品発送や商品管理の簡略化は図ることができる。しかしながら、こうしたシステムでは、贈呈先は贈呈主が決めた贈呈品を受け取ることを前提としていることから、贈呈先での贈呈品選択の余地がない、或いは選択の幅が狭すぎて、その改善が望まれるに到った。
【発明の開示】
【発明が解決しようとする課題】
【０００８】
本発明は、上記従来の技術の問題を解決するものであり、贈呈品の提供を受ける贈呈先に対して、新たな贈呈品選定の手法を提供することを目的とする。
【課題を解決するための手段】
【０００９】
かかる課題の少なくとも一部を解決するため、本発明の贈呈品選定システムは、贈呈品の贈呈先に対する贈呈品選定の助力をネットワークを介して行う贈呈品選定システムであって、ネットワークと接続された贈呈品サーバを含んで構成され、この贈呈品サーバは、贈呈先が操作する端末とネットワークを介して接続される。贈呈品サーバは、贈呈品データ記憶部にて、複数の値段ランクの各値段ランクと、各値段ランクに区分される贈呈品を特定するための贈呈品データとを対にしたランク別贈呈品データを記憶する。
【００１０】
また、贈呈品サーバは、贈呈先への贈呈品提供を意図する贈呈主から贈呈品提供の依頼を受けると、贈呈先関連データ記憶部にて、この贈呈品提供に備えたデータを次のように作成・記憶する。贈呈主は、贈呈品提供を依頼するに当たり、贈呈品の値段ランクと、その値段ランクに含まれる贈呈品の提供数を贈呈品サーバに送る。贈呈主は、ネットワークに接続された端末から、この値段ランクと、その値段ランクごとの贈呈品提供数とを贈呈品サーバに送信することができ、こうすれば、値段ランクと提供数を郵便や電話、或いはファックス回線を用いて送る場合より、簡便となる。
【００１１】
贈呈品サーバは、贈呈主から値段ランクと値段ランクごとの贈呈品提供数が示されると、値段ランクと贈呈先識別のための識別データとを対にした贈呈先関連データを作成する。この贈呈先関連データは、贈呈主から示された値段ランクごとに作成されると共に、各値段ランクでは、その値段ランクごとの贈呈品提供数に応じて作成され、贈呈先関連データ記憶部に記憶される。
【００１２】
贈呈品サーバは、こうしたデータを記憶する一方、入力待機部にて、識別データの入力を待機し、識別データを受け取った贈呈先は、ネットワークに接続された端末を操作して、贈呈品サーバに対してネットワークを介して識別データを送信する。この識別データの入力を受けると、贈呈品サーバは、この端末へのネットワークを介した贈呈品提示を贈呈品提示部にて次のように行う。
【００１３】
まず、入力のあった識別データに対応する値段ランクを、贈呈先関連データ記憶部が記憶した贈呈先関連データに基づいて決定する。次いで、この決定した値段ランクに含まれる贈呈品を、決定済み値段ランクについて贈呈品データ記憶部が記憶したランク別贈呈品データの贈呈品データに基づいて、端末にネットワークを介して提示する。よって、識別データの入力を行った贈呈先は、その操作した端末にて、その贈呈先自身が受け取ることのできる贈呈品を参照・確認できるので、贈呈品選定に際しては、従来のような商品カタログを必要としない。この結果、次のような利点がある。
【００１４】
＜１＞まず、贈呈品選定に際して、商品カタログを要しないことから、商品カタログの掲載商品選定の際のページ送りが不要となり、その分、贈呈品選定の際の贈呈先の手間を軽減できる。
【００１５】
＜２＞贈呈品としての商品提示に際しては、贈呈対象となる商品が増えても、その増えた商品についての贈呈品データを贈呈品サーバ側でデータ更新すれば、当該増えた商品の贈呈先端末への提示に対して簡単に対処できる。よって、贈呈品として贈呈主から提示できる商品の幅が広がる。
【００１６】
＜３＞従来は、商品の生産中止・モデルチェンジ等があると、それを反映させて商品カタログを随時刷新しなければならなかったが、商品カタログ自体が不要となるので、商品カタログの作成・印刷が不要となり、贈呈品仲介者にあってもコスト低減の点で有益である。
【００１７】
＜４＞贈呈主による贈呈先への商品カタログの手渡し・送付が不要となると共に、贈呈先の商品カタログの持ち運びも不要となり、簡便である。
【００１８】
＜５＞商品カタログを用いた贈呈品選定では、印刷を経た商品のカタログ掲載と、商品カタログを用いた商品選定（贈呈先による贈呈品選定）の時期がずれることがある。例えば、生鮮品や、クリスマス・雛祭り・お正月等の季節行事用商品を、贈呈品としてカタログ掲載したと仮定すると、商品選定の時期が限られたり、商品整定の時期を逸したりし勝ちであるので、生鮮品や季節行事用商品を贈呈品として選び難かった。しかしながら、上記の本発明の贈呈品選定システムによれば、贈呈品サーバ側での贈呈品データ更新（削除更新・追加更新）が可能であることから、これら生鮮品や季節行事用商品を贈呈品として提示でき、その選定の幅がより広がる。
【００１９】
上記構成の贈呈品選定システムにおいて、外部のクライアント、例えば贈呈品のメーカや販売業者から、贈呈品の価格データと、贈呈品を画像表示する画像データとを含むメーカ側情報を受領して記憶し、この受領したメーカ側情報の価格データと画像データとを、その価格データに対応する値段ランクと、その画像データにリンクできるリンク情報を含む贈呈品データに処理するようにすることもできる。こうすれば、贈呈先への商品提示の際の贈呈品データをその贈呈品のメーカを用いて用意できることから、贈呈品サーバの側で画像データ等を用意する必要がなくなり、データの作成が簡便となる。
【００２０】
この場合、贈呈品のメーカを特定するメーカ特定データをメーカ側情報の一つとして受領し、このメーカ側情報に基づいて、贈呈品についての値段ランクと贈呈品データとメーカ特定データと贈呈品の分類データとを対応付けた贈呈品データ群を作成し、この贈呈品データ群のメータ特定データ或いは分類データに基づいて、贈呈品をメーカ別或いは贈呈品分類別に提示することもできる。こうすれば、端末を介して贈呈品の提示を受ける贈呈先は、メーカ別或いは贈呈品分類別に商品を選定できることから、商品選定の手間の軽減が可能となる。
【００２１】
また、メーカ側情報の受領に際し、メーカがネットワークに接続して備えるメーカ側サーバにて更新されるメーカ側情報を、メーカ側サーバからネットワークを介して取り込んで更新するようにすることもできる。こうすれば、メーカでのデータ更新に連動して贈呈品サーバ側での贈呈品データ更新（削除更新・追加更新）が可能となるので、贈呈品提供・選定の幅がより一層広がると共に、選定対象となる贈呈品の信頼性も高まる。
【００２２】
更に、贈呈品サーバにて、贈呈品提示部が提示した贈呈品の発注と、発注贈呈品の送付に関する送付先データとの入力を受けるようにし、その受け付けた発注贈呈品についての贈呈品データと送付先データを、ネットワークを介してメーカ側サーバに送信し、該メーカ側サーバに対して贈呈品のメーカからの贈呈品発送を依頼するようにすることもできる。こうすれば、メーカ側のメーカ側サーバにて、贈呈先への商品（即ち、贈呈先が選定した贈呈品）の発送が完了するので、贈呈品サーバ側では商品発送の手間が省ける。
【００２３】
そして、メーカ側サーバから贈呈品サーバに対して、発送した贈呈品に対する費用請求を行うようにすることもでき、こうすれば、贈呈品サーバを運用する贈呈品仲介者側では発送済み贈呈先についてだけの費用支払い処理を行えばよいので、売り掛け処理等の経理処理が軽減される。
【００２４】
また、贈呈主が贈呈品提供を意図する贈呈先と、贈呈先ごとの贈呈品の値段ランクと、贈呈先ごとの送付先データとを受領すると、贈呈先関連データ記憶部にて、贈呈主が意図した贈呈先ごとに値段ランクと識別データと送付先データとを対として贈呈先関連データを作成・記憶するようにし、その上で、端末からの贈呈品発注の受領の際には、端末から入力のあった識別データとこの贈呈先関連データとに基づいて、端末入力の識別データに対応する送付先データを読み込み、端末からの送付先データの入力を簡略化することができる。こうすれば、贈呈品の選定・発注を行う贈呈先は、自身の識別データの入力を行えば、贈呈品送付先のデータ入力の手間が少なくなり、使い勝手が増す。
【発明を実施するための最良の形態】
【００２５】
次に、本発明の構成・作用を一層明らかにするために、以下本発明の好適な実施例について説明する。図１は実施例の贈呈品選定システムの概念を表す説明図、図２はこの贈呈品選定システムの中枢をなす贈呈品サーバを機能ブロック図で表した説明図である。
【００２６】
本実施例の贈呈品選定システムＧＳは、贈呈先への贈呈品提供を意図する贈呈主からの依頼を受け、贈呈主が贈呈先について定めた値段ランクに含まれる贈呈品（商品）を贈呈先に提示し、贈呈先が選定した贈呈品の送付に関与する。こうした目的を果たすため、贈呈品選定システムＧＳは、贈呈品サーバ１００を、インターネットや公衆電話回線等のネットワークＮＷを介して、贈呈主のコンピュータＣＣＮや贈呈先のコンピュータＣＣＳ、商品のメーカ・販売店等のメーカ側サーバＭＳと接続して備える。なお、贈呈品選定システムＧＳは、贈呈主や贈呈先と、郵便・宅配等の運送経路ＳＮ'ｕｐ、ＳＳ'ｕｐ、ＦＡＸ回線ＳＮ''ｕｐ等を介しても結びつく。
【００２７】
贈呈品サーバ１００は、贈呈主から贈呈に関与するデータの提供を受け、このデータに基づいた後述のデータ処理（贈呈品提示等）を行い、各メーカ側サーバＭＳに商品発送の依頼を出す。各メーカ側サーバＭＳは、この依頼に基づいて、贈呈品を贈呈先に配送する。
【００２８】
図２に示すように、贈呈品サーバ１００は、コンピュータを用いて構成され、論理演算を実行するための図示しないＣＰＵ、ＲＯＭ、ＲＡＭの他、外部とのデータやりとりを行うＩ／Ｏ回路を備え、後述のプログラムとこれら機器とで、贈呈品データ記憶部１１０、贈呈先関連データ記憶部１２０、入力待機部１３０、贈呈品提示部１４０、データ処理部１５０、メーカ情報受領部１６０と発送処理部１７０を構成する。
【００２９】
贈呈品データ記憶部１１０は、贈呈品の値段を所定の金額範囲に区別した場合に当該値段が含まれる値段ランクと、各値段ランクに含まれる贈呈品を特定するための贈呈品データとを対にしたランク別贈呈品データの記憶に関与する。贈呈先関連データ記憶部１２０は、贈呈主から示された贈呈品の値段ランクと贈呈先識別のための識別データとを対にした贈呈先関連データの記憶に関与する。入力待機部１３０は、識別データを受け取った贈呈先からのコンピュータＣＣＳによるアクセスに備える。贈呈品提示部１４０は、コンピュータＣＣＳからアクセスした贈呈先に対して、そのコンピュータＣＣＳに贈呈品を提示する処理に関与する。データ処理部１５０は、上記した各機能部におけるデータ処理に関与し、メーカ情報受領部１６０は、商品のメーカサイドからのデータ受領に関与し、発送処理部１７０は、贈呈先が選定した贈呈品の発送に関与する。
【００３０】
贈呈品サーバ１００は、外部機器として、モニタ１０１とハードディスク等の外部メモリ１０２と、入出力機器としてのマウス１０３やキーボード１０４と、スキャナ１０５、プリンタ１０６、外部とのデータ送信のための入出力機器１０７を備える。そして、この贈呈品サーバ１００は、上記した各機能ブロックにより、モニタ１０１に、処理の状況やデータ等を表示する。また、外部メモリ１０２との間のデータの読み書き、スキャナ１０５からのデータ入力、プリンタ１０６によるカード等の印刷を行う。
【００３１】
次に、贈呈品選定システムＧＳによる贈呈品処理の内容について説明する。図３は贈呈品選定システムＧＳでの贈呈品サーバ１００が中心となって実行される贈呈主からの受任プロセスの流れを示す流れ図、図４は贈呈主による贈呈品提供の依頼の様子を説明する説明図、図５は贈呈主と贈呈品サーバ１００との間の処理の関連を説明するための説明図である。
【００３２】
図３に示すように、贈呈品サーバ１００は、まず、贈呈主からの贈呈品提供の依頼を待機する（ステップＳ１００）。贈呈主は、図１に示すように、贈呈品提供の依頼を行うに当たって、郵便による運送経路ＳＮ'ｕｐでの依頼や、ＦＡＸ回線ＳＮ''ｕｐを使った依頼、或いはコンピュータＣＣＮとネットワークＮＷを介した依頼が可能である。よって、贈呈主から贈呈品提供の依頼があると、その依頼が贈呈主のコンピュータＣＣＮからのものであるかを判定する（ステップＳ１０２）。ここで、否定判定すると、その依頼は運送経路ＳＮ'ｕｐやＦＡＸ回線ＳＮ''ｕｐを使った紙媒体を用いた依頼である。よって、この場合は、当該依頼をデータ化する（ステップＳ１０４）。
【００３３】
こうしたデータ化に際しては、図４に示す「贈呈品提供依頼シート」を用いる。つまり、贈呈主は、この依頼シートに、依頼主（贈呈主）の氏名、住所・連絡先等の依頼主情報と、贈呈品の値段ランクごとの贈呈品提供数とを記入し、当該シートを贈呈品データ記憶部１１０の側に郵送或いはＦＡＸ送信する。そして、贈呈品データ記憶部１１０は、受け取った依頼シートのスキャナ１０５での読み取り、或いはキーボード１０４での入力を経て、上記シートの各項目をデータ化する（ステップＳ１０４）。この場合、贈呈主が以前にこの贈呈品選定システムＧＳでの贈呈品依頼を行っていれば、その贈呈主には贈呈主識別ＩＤデータ、パスワード（ＰＷ）が贈呈品データ記憶部１１０から付与されるので、これらもシートに記入する。
【００３４】
図４の依頼シートは、３，０００円の値段ランクの贈呈品を３０個、５，０００円の値段ランクを４０個、８，０００円の値段ランクを２０個、１０，０００円の値段ランクを１０個、・・・というように、この依頼者（贈呈主）が定めた各値段ランクと、それぞれの値段ランクごとの贈呈品提供数を表す。そして、これら情報から得たデータは、後述の処理に用いる。
【００３５】
一方、ステップＳ１０２で肯定判定した場合は、図５に示すように、コンピュータＣＣＮからネットワークＮＷを含むデータ経路ＳＮｕｐを経て、贈呈品提供依頼があったことになるので、贈呈品データ記憶部１１０は、図４に示した「贈呈品提供依頼シート」とのリンク情報を有するＵＲＬ（Uniform Resouce Locator）を、データ経路ＳＮｄｏｗｎを経て贈呈主のコンピュータＣＣＮに送信する（ステップＳ１１０）。これにより、贈呈主は、自身のコンピュータＣＣＮにてこの「贈呈品提供依頼シート」を表示させ、この画面上のシートに、上記したように、値段ランクと値段ランクごとの提供数のデータを入力して、贈呈品データ記憶部１１０に送信する（ステップＳ１２０）。このシートを受け取った贈呈品データ記憶部１１０は、シート受信と共に、依頼者（贈呈主）が定めた各値段ランクと、それぞれの値段ランクごとの贈呈品提供数のデータを得る。
【００３６】
贈呈品データ記憶部１１０は、上記のように入手したデータに基づいて、贈呈品提供に必要なデータ処理を行う。図６は贈呈主からの贈呈品依頼に基づいて作成する贈呈先関連データの様子を示す説明図である。この図６に示す「贈呈品提供受任シート」に示すように、贈呈品データ記憶部１１０は、上記のようにして贈呈主からの依頼を受けると、その依頼を示す受任Ｎｏ．を、贈呈主についての氏名・住所等に関連付けて割り振ると共に、贈呈主から示された贈呈品の値段ランクごとに、各ランクごとの提供数に応じたデータ数のデータ対を作成し、これを記憶する（ステップＳ１３０）。
【００３７】
このデータ対は、贈呈主から示された贈呈品の値段ランクと、贈呈品の提供を受ける贈呈先を識別するためのデータ（識別ＩＤデータ、パスワードデータ）とを対にした贈呈先関連データである。そして、このデータ対は、図４に示す贈呈主が定めた値段ランクごとの贈呈品提供数に応じて、それぞれの値段ランクごとに作成され、贈呈先関連データとして外部メモリ１０２などに記憶される。図６に示す贈呈先関連データは、贈呈先Ｎｏ．１〜３０までの贈呈先は、図示する贈呈先識別ＩＤ・ＰＷが個別に対応付けられ、３，０００円の値段ランクに含まれる贈呈品を受け取ることができることや、贈呈先Ｎｏ．３１〜７０までの贈呈先は、図示する贈呈先識別ＩＤ・ＰＷが個別に対応付けられ、５，０００円の値段ランクに含まれる贈呈品を受け取ることができることなどを示している。本実施例では、贈呈先識別ＩＤの一部を、値段ランクに対応付けて区別しているので、贈呈先識別ＩＤにて、贈呈品の値段ランクが判るようにされている。
【００３８】
贈呈品データ記憶部１１０は、今回の贈呈品受任が最初のものであるか否かを依頼シートにおける贈呈主識別ＩＤ、ＰＷの有無、贈呈主氏名・住所等から判定する（ステップＳ１４０）。最初の受任であれば、その贈呈主に対して贈呈主識別ＩＤとＰＷを発行して、これを記憶すると共に、贈呈主にも送付する（ステップＳ１５０）。これにより、贈呈主識別ＩＤとＰＷの付与を受けた贈呈主は、次回以降の贈呈品提供依頼に際して、住所等の入力を省くことができる。
【００３９】
贈呈品データ記憶部１１０は、贈呈主が贈呈を意図する個々の贈呈先への送付カードや、贈呈先に対してこの贈呈品選定システムＧＳによる贈呈品選定の方法等を説明する冊子を準備し、これを送付する（ステップＳ１６０）。この一連の処理で、贈呈主からの贈呈品依頼についての処理が完了する。
【００４０】
図７は贈呈先に対して送られる贈呈品申込カードＺＫや贈呈案内冊子ＺＳと商品冊子ＢＳを模式的に示す説明図である。贈呈品データ記憶部１１０は、上記したステップＳ６０において、図示するようなカードや冊子を準備し、これを贈呈主に送付する。贈呈品申込カードＺＫは、贈呈先を特定するための識別ＩＤ・ＰＷが記入済みであり、申込商品コードの記入欄や、商品（贈呈品）の送付先（住所・氏名・電話番号等）の記入欄を有する。贈呈案内冊子ＺＳには、上記の贈呈品申込カードＺＫを使った商品申込や、贈呈品選定システムＧＳを経由した贈呈品選定・発注の方法、商品冊子ＢＳ掲載商品の案内書きが記入され、識別ＩＤ・ＰＷは最終ページ裏面に記されている。この場合、贈呈案内冊子ＺＳの裏表紙ＥＰには、窓Ｗが空けられており、この窓Ｗを通して識別ＩＤだけが贈呈案内冊子ＺＳの裏表紙ＥＰ側から判読できるようにされている。商品冊子ＢＳは、贈呈品としてお勧めのベスト商品を掲載した僅かなページの小冊子であることから、贈呈品選定システムＧＳを用いることなく当該冊子により簡便に贈呈品を選定することができる。
【００４１】
贈呈品データ記憶部１１０は、贈呈品申込カードＺＫと贈呈案内冊子ＺＳと商品冊子ＢＳを一揃えにした状態で化粧箱等に納める。図８は贈呈品化粧箱ＧＢの一例を示す説明図である。本実施例では、贈呈先への贈呈品化粧箱等の配布は、贈呈主が行うことを想定していることから、この贈呈品化粧箱等は贈呈主に送付される。この際、それぞれの贈呈品化粧箱ＧＢは、収納した贈呈案内冊子ＺＳの裏表紙ＥＰの窓Ｗ（図７参照）と一致する窓Ｗを下箱に有するので、贈呈品申込カードＺＫに記載の贈呈先識別ＩＤが化粧箱裏面側から判るようにされている。このため、贈呈主は、贈呈品化粧箱ＧＢの裏面側の窓Ｗを通して贈呈先識別ＩＤを視認でき、当該ＩＤから贈呈品の値段ランクを判別できる。よって、贈呈主は、贈呈品化粧箱ＧＢを贈呈先に渡すに際して、値段ランクと贈呈先とを照合できるので、誤った値段ランクの贈呈品（贈呈品化粧箱ＧＢ）を贈呈先に渡すようなことを回避できる。なお、贈呈品化粧箱等を贈呈先に直接送付することもできるが、この場合については後述する。
【００４２】
上記の贈呈品化粧箱ＧＢを受け取った贈呈先は、化粧箱在中の贈呈品申込カードＺＫを用いて、商品冊子ＢＳに掲載の商品を選定し、贈呈品データ記憶部１１０に対して発注できるほか、贈呈品選定システムＧＳを用いた贈呈品データ記憶部１１０による贈呈品選定の助力を受けることもできる。こうした贈呈品選定の説明に先立ち、贈呈品データ記憶部１１０での贈呈品データ処理について説明する。
【００４３】
図９は贈呈品データ記憶部１１０が贈呈品としての商品についてその値段ランクと商品特定に足りる贈呈品データとを対にしたランク別贈呈品データの様子を示す説明図、図１０はこのランク別贈呈品データの更新プロセスの流れを示すフローチャート、図１１は商品（贈呈品）のメーカ側にて用意するデータの様子を示す説明図である。
【００４４】
図９に示すように、贈呈品データ記憶部１１０は、３，０００円、５，０００円等の値段ランクごとに、当該ランクに含まれる商品についての贈呈品データを記憶する。この贈呈品データは、商品が属するジャンル（例えば、アパレル、生鮮品、日用品等）を表すジャンルデータと、その商品のメーカ名を表すメーカデータと、その商品の画像を表示するためのイメージデータと、商品の色・サイズ等の特徴や選定に際しての注意事項（例えば、季節による選定可否等）を補足説明する補足データと、商品のイメージデータに対するリンク情報を含むＵＲＬデータ（イメージリンクデータ）と、商品の補足データに対するリンク情報を含むＵＲＬデータ（補足リンクデータ）とを含んで構成される。こうしたランク別贈呈品データは、例えば外部メモリ１０２に記憶され、図１０の更新プロセスにより、都度、更新・記憶される。
【００４５】
図１０の贈呈品データの更新プロセスは、所定のメンテナンスの時間（例えば、毎週月曜のａｍ２時等）に実行される。この更新プロセスが実行されると、まず、贈呈品サーバ１００は、本実施例の贈呈品選定システムＧＳで扱う贈呈品としての出品に協賛する製造メーカや販売メーカのメーカ側サーバＭＳに、ネットワークＮＷを経たデータ経路Ｍｄｏｗｎ介して図１に示すようにアクセスする（ステップＳ２００）。
【００４６】
協賛メーカ（製造メーカ、販売メーカ）は、そのメーカ側サーバＭＳにおいて、図１１に示す商品データを本実施例の贈呈品選定システムＧＳへの出品協賛商品について作成し、これを贈呈品選定システムＧＳへの提供データとして用意する。図１１の商品データは、協賛メーカが独自に用意するデータであるが、そのフォーマットについては、本実施例の贈呈品選定システムＧＳでの取り扱いを想定して所定のものとされている。例えば、協賛メーカは、出品協賛品の個々について、その価格と商品イメージデータと、商品補足データとを対応付けて記憶する。この場合、商品イメージデータについては、データフォーマットに加え、そのファイルサイズ（最大サイズ）についても規定されており、商品補足データについては、テキストデータ・イメージデータのいずれでもよいが、データがなければ、データなし（ｎｕｌｌ）とされている。そして、協賛メーカは、この商品ごとのデータを都度更新し、その更新後の商品データを贈呈品サーバ１００に提供できるよう、商品データを読み込み先のリンク情報（データロードＵＲＬ）と対応付けて記憶する。
【００４７】
贈呈品サーバ１００は、ステップＳ２００にてアクセスした各協賛メーカのデータロードＵＲＬおいて、商品データを協賛メーカごとに読み込み（ステップＳ２１０）、その商品データで、図９で説明した贈呈品データ（値段ランク別商品データ）を更新しこれを記憶する（ステップＳ２２０）。こうした処理により、贈呈品サーバ１００は、協賛メーカが贈呈品として提供できる商品のデータを常に最新のものとして記憶する。
【００４８】
贈呈品サーバ１００がこうした贈呈品データの更新を行う際には、その価格について次のような処置を行う。一般に、贈呈品提供の際の値段ランクは、協賛メーカに対して支払う対価（価格）と対応するものの、ある程度の幅がある。例えば、３，０００円の値段ランクであれば、一般市場価格が３，０００円以上で３，５００円未満の商品を贈呈品として提供できる。よって、贈呈品サーバ１００は、贈呈品データ更新に際しては、協賛メーカの商品データに含まれる価格に基づき、その商品が分類される値段ランクを算出し、その値段ランクに基づいて、データ更新を行う。なお、値段ランクに含まれる商品の上限価格は、例えば、協賛メータとの取り決め等で適宜変更することができる。
【００４９】
次に、図７で示した贈呈品申込カードＺＫや贈呈案内冊子ＺＳを受け取った贈呈先と贈呈品サーバ１００との間で行われる贈呈品選定について説明する。図１２は贈呈先に対しての贈呈品選定の助力を行うための贈呈品選定プロセスの流れを示す流れ図、図１３は贈呈先と贈呈品サーバ１００と間の処理の関係を説明するための説明図である。
【００５０】
図１２に示すように、贈呈品サーバ１００は、まず、贈呈先からの贈呈品選定のためのアクセスを待機する（ステップＳ３００）。贈呈先は、図１に示すように、贈呈品サーバ１００に対して贈呈品選定を行うに当たって、郵便による運送経路ＳＳ'ｕｐでのアクセスやコンピュータＣＣＳとネットワークＮＷを介したアクセスが可能である。よって、贈呈先から贈呈品選定のアクセスがあると、そのアクセスが贈呈先のコンピュータＣＣＳからのものであるかを判定する（ステップＳ３０２）。
【００５１】
コンピュータＣＣＳを持たない贈呈先や、送られた商品冊子ＢＳに掲載の商品（例えば、ベスト５０選商品）を選定すれば足りる贈呈先は、贈呈品申込カードＺＫに贈呈先識別ＩＤやパスワード（ＰＷ）、商品贈呈先の住所等の必要事項を書き込み、贈呈品申込カードＺＫを郵送する。これが、運送経路ＳＳ'ｕｐでのアクセスとなり、こうしてカードにてアクセスを受けた贈呈品サーバ１００は、贈呈品申込カードＺＫに記入された贈呈先識別ＩＤ・ＰＷに基づいて、カードアクセス以前にコンピュータＣＣＳからの選定アクセスの有無を判定する（ステップＳ３０４）。ここでコンピュータＣＣＳからの選定アクセス済みであると判定すると、贈呈品の二重発送を回避するため、贈呈品サーバ１００は、コンピュータＣＣＳからの選定アクセス済みであることを、電話や郵便、電子メール等の適宜な手段で贈呈先に連絡し（ステップＳ３０６）、本プロセスを終了する。
【００５２】
ステップＳ３０４でコンピュータＣＣＳからの選定アクセスが無いと判定すれば、贈呈品サーバ１００は、贈呈品申込カードＺＫに記載された選定商品を贈呈品として送付すべく、選定商品・送付先住所等をデータ化する（ステップＳ３０８）。その後、後述の発送依頼処理に進む。
【００５３】
一方、ステップＳ３０２でコンピュータＣＣＳからの選定アクセスがあったと判定した場合は、贈呈品サーバ１００は、贈呈先によるコンピュータＣＣＳからの贈呈先識別ＩＤ・ＰＷの入力を待機する（ステップＳ３１０）。つまり、図１３に示すように、贈呈品サーバ１００は、贈呈先のコンピュータＣＣＳに、贈呈先識別ＩＤ・ＰＷの入力待機画面とリンクしたＵＲＬを送信し、贈呈先は、この画面にて贈呈先識別ＩＤ・ＰＷを入力して贈呈品サーバ１００に送信する。
【００５４】
贈呈品サーバ１００は、送信を受けた贈呈先識別ＩＤ・ＰＷの真偽を判定し（ステップＳ３１２）、その組み合わせ不一致等の不都合があれば、贈呈先識別ＩＤ・ＰＷの誤入力等の旨を贈呈先のコンピュータＣＣＳに送信して（ステップＳ３１４）、本プロセスを終了する。なお、この場合、正しい贈呈先識別ＩＤ・ＰＷの再入力を数回に亘って贈呈先に促すようにし、数回の再入力でも誤入力が解消しなければ本プロセスを終了するようにすることもできる。
【００５５】
贈呈先識別ＩＤ・ＰＷが正しいと判定すると、贈呈品サーバ１００は、コンピュータＣＣＳから入力を受けた贈呈先識別ＩＤ・ＰＷに基づいて、今回のコンピュータＣＣＳからのアクセス以前に贈呈品申込カードＺＫからの申込（選定アクセス）の有無を判定する（ステップＳ３１６）。ここで贈呈品申込カードＺＫからの選定アクセス済みであると判定すると、贈呈品の二重発送を回避するため、贈呈品サーバ１００は、贈呈品申込カードＺＫからの選定アクセス済みであることを、贈呈先のコンピュータＣＣＳに送信し（ステップＳ３１８）、本プロセスを終了する。なお、電子メールにて、贈呈品申込カードＺＫからの選定アクセス済みであること伝達することもできる。
【００５６】
ステップＳ３１６で贈呈品申込カードＺＫでの申込もないと判定した場合は、コンピュータＣＣＳからの贈呈先の商品選定の助力を行うべく、ステップＳ３２０以降の処理を行う。贈呈品サーバ１００は、ステップＳ３２０において、贈呈先がコンピュータＣＣＳにて入力した贈呈先識別ＩＤ・ＰＷ（入力贈呈先識別ＩＤ・ＰＷ）を図６で説明した贈呈先関連データと照合し、この入力贈呈先識別ＩＤ・ＰＷに対応する値段ランクを決定する。そうすると、贈呈品サーバ１００は、贈呈先のコンピュータＣＣＳに、この判別値段ランクに含まれる贈呈品を提示する（ステップＳ３３０）。
【００５７】
こうした贈呈品提示に当たり、贈呈品サーバ１００は、まず、贈呈先のコンピュータＣＣＳに、贈呈品のカテゴリ別表示、メーカ別表示、或いは商品検索のいずれかを選択する画面とリンクしたＵＲＬを送信する。そうすると、贈呈先は、自身のコンピュータＣＣＳの画面にて、図１３に示すような表示を見ることができるので、上記のいずれかを選択し、マウスのダブルクリック等の操作にて選択状況を贈呈品サーバ１００に送信する。
【００５８】
例えば、カテゴリ別表示が贈呈先により選ばれたとすると、贈呈品サーバ１００は、ステップＳ３２０で判別した値段ランクに含まれる贈呈品を、図９に示す贈呈品データ（ランク別送品データ）に基づいてジャンル別に並び替え、その結果とリンクするリンク情報を含むＵＲＬを贈呈先のコンピュータＣＣＳに送信する。図１４はカテゴリ別表示が選択された場合に贈呈先が提示を受ける表示画像の一例を示す説明図である。
【００５９】
この図１４に示すように、贈呈先は、選定したい商品ジャンルをマウスのダブルクリック等の操作にて贈呈品サーバ１００に送信する。贈呈品サーバ１００は、上記判別値段ランクに含まれる商品のうち、贈呈先が選択された商品ジャンルと一致する商品データを抽出し、提示候補データを階層構造のデータとして作成する。図１５は特定の値段ランク（３，０００円）について商品ジャンルがアパレルとされた場合の提示候補データの様子を説明する説明図、図１６は贈呈先がコンピュータＣＣＳに提示を受けた商品候補の提示状況を概略的に示す説明図である。
【００６０】
贈呈品サーバ１００は、こうして作成した提示候補データにリンクできるリンク情報を含むＵＲＬを贈呈先のコンピュータＣＣＳに送信する。このＵＲＬの送信を受けた贈呈先は、図１６に示すように、自身が選択した商品ジャンル（アパレル）に含まれる複数商品を、いわゆるサムネイル形態でコンピュータＣＣＳの画面にて視認できる。
【００６１】
ここで、図１６で示した表示の様子について説明する。贈呈先のコンピュータＣＣＳのディスプレイには、贈呈品サーバ１００から送信されたＵＲＬ（ｈｔｔｐ／／ｗｗｗ．３０００．ａｐ．・・・）が表示される。このＵＲＬは、階層構造を持ったデータにリンクしており、サムネイル表示された各画像は、表示した画像の商品に対応するデータ（図１５に示すイメージリンクデータ）にリンクする。各画像中の補足の欄は、画像表示した商品についての補足データ（図１５に示す補足リンク）にリンクする。また、各画像中の拡大の欄、注文の欄は、拡大画像・注文画面表示にそれぞれリンクしている。この場合、各画像をダブルクリックすると、拡大画像にリンクするよう、構成することもできる。また、こうした画像表示と共に、ジャンル変更・ＮＥＸＴ・ＢＡＣＫの欄も用意され、これらは、図１４に示した商品ジャンル別表示画面へのリンク情報、次候補のサムネイル画像へのリンク情報、前回表示したサムネイル画像へのリンク情報を含んでいる。
【００６２】
従って、こうした画像提示を受けた贈呈先は、自身のコンピュータＣＣＳの画面にて、次々と商品画像を切り換えて、商品を選択できる。メーカ別表示が選択された場合も同様である。図１３の商品検索が選択された場合は、贈呈品サーバ１００は、商品検索に必要な用語の入力画面にリンクしたリンク情報を含むＵＲＬをコンピュータＣＣＳに送信し、検索用語の入力を待ち、その検索用語で商品を検索する。その検索結果は、図１５で示したような検索結果データとして作成され、その結果に含まれる商品の画像をコンピュータＣＣＳに提示する。
【００６３】
贈呈先のコンピュータＣＣＳに表示した商品提示のためのＵＲＬ（ｈｔｔｐ／／ｗｗｗ．３０００．ａｐ．・・・）は、贈呈先にて書換が可能である。例えば、このＵＲＬを「ｈｔｔｐ／／ｗｗｗ．５０００．ａｐ．・・・」と書き換え、当該ＵＲＬを贈呈品サーバ１００に送信することもできる。こうして書き換えられたＵＲＬは、値段ランク５，０００円の商品のデータにリンク可能なデータとなるが、贈呈品サーバ１００は、コンピュータＣＣＳを操作する贈呈先の贈呈先識別ＩＤ・ＰＷを記憶しているので、書換後のＵＲＬを受け付けない。よって、贈呈先識別ＩＤ・ＰＷに対応した値段ランクに含まれる商品しか、贈呈先は見ることはできないようにされている。
【００６４】
贈呈品サーバ１００は、上記した商品提示・贈呈先による商品提示切換を行いつつ、贈呈先による商品発注（注文）を待機し（ステップＳ３４０）、終了操作等により商品発注が無いままであると本プロセスを終了する。そして、商品発注があると、贈呈品サーバ１００は、贈呈先のコンピュータＣＣＳに、商品発送先の住所等のデータ入力を促す画面にリンクしたＵＲＬを送信し、贈呈先によるこれらデータ入力を待機する（ステップＳ３５０）。
【００６５】
次いで、贈呈品サーバ１００は、入力を受けた贈呈品の送り先である贈呈先住所等と、ステップＳ３４０で贈呈先が発注した商品についてのデータとを含む発送データを、その商品の提供先であるメーカ側のメーカ側サーバＭＳにネットワークＮＷを経たデータ経路Ｍｄｏｗｎを介して送信し、メーカに対して商品発送を依頼する（ステップＳ３６０）。贈呈品サーバ１００は、この発送依頼をもってして、本プロセスを終了する。
【００６６】
こうした発送データを受け取ったメーカ側サーバＭＳは、送信を受けた発送データに基づき、商品を贈呈先に直接送付し、送付完了時には、商品発送完了の旨を贈呈品サーバ１００にネットワークＮＷを介して送信する。この際、メーカ側サーバＭＳは、発送した商品についての請求データを作成し、当該データを贈呈品サーバ１００に送信して、振り込み用紙等の発送に変わる費用請求を行う。
【００６７】
上記説明したように、本実施例の贈呈品選定システムＧＳによれば、贈呈品の提供を受ける贈呈先に、その贈呈先が操作するコンピュータＣＣＳの画面に、その贈呈先が提供を受け得る商品を贈呈先での端末操作に応じて次々と表示する。よって、贈呈先は、その贈呈先自身が受け取ることのできる贈呈品を次々と参照・確認しながら、贈呈品選定を行うことができる。この結果、贈呈先での贈呈品選定に当たっては、従来のような商品カタログを手にする必要がないので、次のような利点がある。
【００６８】
まず第１に、贈呈先が贈呈品を選定する際に商品カタログを要しないことから、商品カタログの掲載商品選定の際のページ送りが不要となり、その分、贈呈品選定の際の贈呈先の手間を軽減できる。
【００６９】
また、贈呈先への贈呈品提示に際しては、贈呈対象となる商品はメーカの商品開発や商品変更により増減或いは入れ替わりが起きる。しかしながら、その増減或いは入れ替わった商品についての贈呈品データ（図９の値段ランク別贈呈品データ）を贈呈品サーバ１００でデータ更新すれば（図１０：贈呈品データ更新プロセス）、これら商品の贈呈先端末（コンピュータＣＣＳ）への提示に対して簡単に対処できる。よって、贈呈品として贈呈主から提示できる商品の幅が広がると共に、贈呈先にあっては、商品カタログのページ送りの手間を軽減しつつ商品選択の幅が広がり、好ましい。
【００７０】
更に、従来は、商品の生産中止・モデルチェンジ等があると、それを反映させて商品カタログを随時刷新しなければならなかったが、商品カタログ自体が不要となるので、商品カタログの作成・印刷が不要となり、贈呈品贈呈の仲介者にあってもコスト低減の点で有益である。
【００７１】
加えて、贈呈主による贈呈先への商品カタログの手渡し・送付が不要となると共に、贈呈先の商品カタログの持ち運びも不要となるので、簡便である。なお、本実施例では、贈呈主から贈呈先へは、図７に示した贈呈品申込カードＺＫ等を化粧箱にて手渡し・送付すればよいことから、手渡し・送付も簡便となる。
【００７２】
また、従来のような商品カタログを用いた贈呈品選定では、印刷を経た商品のカタログ掲載と、商品カタログを用いた商品選定（贈呈先による贈呈品選定）の時期がずれることがあるが、本実施例によれば、贈呈品サーバ１００での商品データ更新にて、贈呈品データを常に最新のものとすることができるので、商品選定の時期のずれに対して容易に対処できる。よって、生鮮品や、クリスマス・雛祭り・お正月等の季節行事用商品であっても、適切な時期での商品選定の対象とできるので、贈呈品選定の幅をより一層広げることができる。
【００７３】
しかも、贈呈先への贈呈品提示に際しての商品画像等の商品データについては、メーカ側サーバＭＳで用意したデータの取り込みで対処するので（図１０：贈呈品データ更新プロセス）、贈呈品サーバ１００の側ではこれら商品の画像データ等を準備する必要がなくなり、簡便となる。
【００７４】
また、本実施例では、贈呈品としての商品のメーカ別、或いはジャンル別の提示を行う（図１２：ステップＳ３３０）。そして、例えばジャンル別が選択されると商品ジャンルを提示し（図１４参照）、商品ジャンルとしてアパレルが選択されると、贈呈品サーバ１００は、図１６に示すようにそのアパレルのジャンルに含まれる商品（贈呈品）を提示するので、コンピュータＣＣＳでこうした商品提示を受ける贈呈先は、ジャンル別に商品を選定できることから、商品選定の手間のより一層の軽減が可能となる。メーカ別でも同様である。しかも、本実施例では、商品の検索も可能であることから、商品選定の手間の軽減により有益である。
【００７５】
また、商品提示に用いる商品データに含ませる画像データ等のデータは、メーカ側サーバＭＳの用意したデータであり、随時更新されることから、選定対象となる贈呈品の信頼性も高まる。
【００７６】
更に、贈呈品サーバ１００にて、贈呈先からの贈呈品発注と、発注贈呈品の送付に関する送付先データとの入力を受け、そのデータに基づいてメーカ側サーバＭＳへの商品発送依頼を行うようにした（図１２：ステップＳ３６０）。このため、メーカ側のメーカ側サーバＭＳにて、贈呈先への商品発送（即ち、贈呈先が選定した贈呈品の発送）が完了するので、贈呈品サーバ１００側では商品発送の手間が省ける。
【００７７】
そして、メーカ側サーバＭＳは、贈呈品サーバ１００に対して、発送した贈呈品に対する費用請求を行う。よって、贈呈品サーバ１００を運用する贈呈品仲介者側では発送済み贈呈先についてだけの費用支払い処理を行えばよいので、売り掛け処理等の経理処理が軽減される。
【００７８】
また、本実施例では、贈呈品選定に当たって、贈呈先には複数の選定手法を選べるようにした。つまり、贈呈先は、コンピュータＣＣＳの端末操作を経た贈呈品選定を行うことができるほか、贈呈品としてお勧めのベスト商品を掲載した僅かなページの小冊子の商品冊子ＢＳを参照した贈呈品選定も行うことができる。よって、コンピュータＣＣＳを有しない贈呈先や、小冊子状の商品冊子ＢＳ掲載商品での選定を望む贈呈先に対しては、従来通りの選定を行うようにできると共に、僅かなページめくりで贈呈品選定が行えるようにでき、好ましい。
【００７９】
次に、変形例について説明する。例えば葬儀参列者に対して、後日、返礼を行う場合、この返礼に際しては、贈呈品の贈呈主は、贈呈先の氏名や住所等の商品発送に関するデータを把握していることが多い。こうした場合、贈呈主は、贈呈先ごとに予め贈呈品の値段ランクを決めていることが多い。以下に説明する変形例は、このように贈呈品送付に関するデータと贈呈先ごとの値段ランクの提供を受ける場合に適用されるものである。図１７は変形例で用いる図４相当の贈呈品提供依頼シートを表す説明図、図１８は変形例で用いる図６相当の贈呈品提供受任シートを表す説明図である。
【００８０】
これら図面で示すように、贈呈主は、贈呈品提供を意図するそれぞれの贈呈先ごとに、その氏名・住所等の贈呈品送付に必要なデータと、贈呈先ごとの贈呈品の値段ランクとを、贈呈品サーバ１００に、ネットワークＮＷを介して、或いは郵送・ＦＡＸにて送る。贈呈品サーバ１００は、こうしたデータを受領すると、図１８に示すような贈呈先ごとに値段ランクと識別データと送付先データとを対として贈呈先関連データを作成・記憶する。そして、贈呈品サーバ１００は、この贈呈先関連データに基づいて、それぞれの贈呈先に、図７で説明した贈呈品申込カードＺＫ等を直接送付する。その後は、図１２で説明した贈呈品選定プロセスを実行する。なお、この変形例では、贈呈品サーバ１００は、贈呈先の氏名・住所等の贈呈品送付に必要なデータを贈呈主から受領済みなので、ステップＳ３５０の処理は不要である。
【００８１】
こうした変形例によれば、既述した効果を奏することができると共に、贈呈先のコンピュータＣＣＳ操作を経た住所等の送付先データの入力を簡略化することができる。つまり、贈呈品の選定・発注を行う贈呈先は、自身の贈呈先識別ＩＤ・ＰＷの入力を行えば、贈呈品送付先のデータ入力の手間が少なくなり、使い勝手が増す。
【００８２】
以上、本発明の実施例について説明したが、本発明は上記実施例に限定されるものではなく、本発明の要旨を逸脱しない範囲において種々なる態様で実施し得ることは勿論である。例えば、図１６のように商品（贈呈品）の提示を受けた贈呈先が贈呈品を選定するに際し、拡大表示したりした画像を印刷し、その印刷画像を贈呈先の識別ＩＤ・ＰＷと共に贈呈品サーバ１００に郵送等の手法で送付するようにもでき、贈呈品サーバ１００は、到着した印刷画像と対応する商品を贈呈先に送付することもできる。
【図面の簡単な説明】
【００８３】
【図１】実施例の贈呈品選定システムＧＳの概念を表す説明図である。
【図２】この贈呈品選定システムＧＳの中枢をなす贈呈品サーバ１００を機能ブロック図で表した説明図である。
【図３】贈呈品選定システムＧＳでの贈呈品サーバ１００が中心となって実行される贈呈主からの受任プロセスの流れを示す流れ図である。
【図４】贈呈主による贈呈品提供の依頼の様子を説明する説明図である。
【図５】贈呈主と贈呈品サーバ１００との間の処理の関連を説明するための説明図である。
【図６】贈呈主からの贈呈品依頼に基づいて作成する贈呈先関連データの様子を示す説明図である。
【図７】贈呈先に対して送られる贈呈品申込カードＺＫや贈呈案内冊子ＺＳと商品冊子ＢＳを模式的に示す説明図である。
【図８】贈呈品化粧箱ＧＢの一例を示す説明図である。
【図９】贈呈品データ記憶部１１０が贈呈品としての商品についてその値段ランクと商品特定に足りる贈呈品データとを対にしたランク別贈呈品データの様子を示す説明図である。
【図１０】このランク別贈呈品データの更新プロセスの流れを示すフローチャートである。
【図１１】商品（贈呈品）のメーカ側にて用意するデータの様子を示す説明図である。
【図１２】贈呈先に対しての贈呈品選定の助力を行うための贈呈品選定プロセスの流れを示す流れ図である。
【図１３】贈呈先と贈呈品サーバ１００と間の処理の関係を説明するための説明図である。
【図１４】カテゴリ別表示が選択された場合に贈呈先が提示を受ける表示画像の一例を示す説明図である。
【図１５】特定の値段ランク（３，０００円）について商品ジャンルがアパレルとされた場合の提示候補データの様子を説明する説明図である。
【図１６】贈呈先がコンピュータＣＣＳに提示を受けた商品候補の提示状況を概略的に示す説明図である。
【図１７】変形例で用いる図４相当の贈呈品提供依頼シートを表す説明図である。
【図１８】変形例で用いる図６相当の贈呈品提供受任シートを表す説明図である。
【符号の説明】
【００８４】
１００...贈呈品サーバ
１０１...モニタ
１０２...外部メモリ
１０３...マウス
１０４...キーボード
１０５...スキャナ
１０６...プリンタ
１０７...入出力機器
１１０...贈呈品データ記憶部
１２０...贈呈先関連データ記憶部
１３０...入力待機部
１４０...贈呈品提示部
１５０...データ処理部
１６０...メーカ情報受領部
１７０...発送処理部
ＣＣＮ...贈呈主コンピュータ
ＣＣＳ...贈呈先コンピュータ
ＧＳ...贈呈品選定システム
ＭＳ...メーカ側サーバ
ＮＷ...ネットワーク
ＺＫ...贈呈品申込カード
ＺＳ...贈呈案内冊子
ＢＳ...商品冊子
【図１】
2006309374.tif 000003
【図２】
2006309374.tif 000004
【図３】
2006309374.tif 000005
【図４】
2006309374.tif 000006
【図５】
2006309374.tif 000007
【図６】
2006309374.tif 000008
【図７】
2006309374.tif 000009
【図８】
2006309374.tif 000010
【図９】
2006309374.tif 000011
【図１０】
2006309374.tif 000012
【図１１】
2006309374.tif 000013
【図１２】
2006309374.tif 000014
【図１３】
2006309374.tif 000015
【図１４】
2006309374.tif 000016
【図１５】
2006309374.tif 000017
【図１６】
2006309374.tif 000018
【図１７】
2006309374.tif 000019
【図１８】
2006309374.tif 000020
【手続補正書】
【提出日】平成18年7月27日(2006.7.27)
【手続補正１】
【補正対象書類名】特許請求の範囲
【補正対象項目名】全文
【補正方法】変更
【補正の内容】
【特許請求の範囲】
【請求項１】
贈呈品の提供を受ける贈呈先に対して、贈呈品の選定をネットワークを介して助力する贈呈品選定システムであって、
前記ネットワークと接続された贈呈品サーバを備え、
該贈呈品サーバは、
複数の値段ランクの各値段ランクと、各値段ランクに含まれる贈呈品を特定するための贈呈品データとを対にしたランク別贈呈品データを記憶する贈呈品データ記憶部と、
前記贈呈先への贈呈品提供を意図する贈呈主から贈呈品提供の依頼を受けると、前記贈呈主から示された贈呈品の値段ランクとその値段ランクごとの贈呈品提供数の提示を前記贈呈主から受け、前記値段ランクごとに、各値段ランクごとの前記提供数に応じたデータ数のデータ対を作成し、該データ対ごとに贈呈先識別のための識別データを対応付けた上で、前記値段ランクと前記識別データとを対にした贈呈先関連データを、前記贈呈主から示された前記値段ランクごとの贈呈品提供数に応じて前記値段ランクごとに作成し、該作成した贈呈先関連データを記憶する贈呈先関連データ記憶部と、
前記識別データを受け取った贈呈先が前記ネットワークに接続された端末を操作して行う前記識別データの入力を待機する入力待機部と、
該入力のあった前記識別データに対応する前記値段ランクを、前記贈呈先関連データ記憶部が記憶した前記贈呈先関連データに基づいて決定し、該決定した値段ランクに含まれる前記贈呈品を、前記決定した値段ランクについて前記贈呈品データ記憶部が記憶した前記ランク別贈呈品データの前記贈呈品データに基づいて、前記端末に前記ネットワークを介して提示する贈呈品提示部とを備え、
前記贈呈品データ記憶部は、
ネットワークを介して接続された外部のクライアントから、贈呈品の価格データと贈呈品を画像表示する画像データとを含むメーカ側情報を受領して記憶するメーカ情報受領部と、
該受領した前記価格データと前記画像データとを、前記価格データに対応する値段ランクと、前記画像データにリンクできるリンク情報を含む前記贈呈品データに処理するデータ処理部とを有し、
前記メーカ情報受領部は、
前記贈呈品のメーカを特定するメーカ特定データを前記メーカ側情報の一つとして受領し、
前記データ処理部は、
前記贈呈品について、前記値段ランクと、前記贈呈品データと、前記メーカ特定データと、前記贈呈品が分類される分類データとを対応付けた贈呈品データ群を作成し、
前記贈呈品提示部は、
前記決定した値段ランクについての前記ランク別贈呈品データに基づいた前記端末への贈呈品提示を、前記贈呈品データ群における前記メーカ特定データ或いは分類データに基づいたメーカ別提示、或いは贈呈品分類別提示として実行する
贈呈品選定システム。
【請求項２】
請求項１記載の贈呈品選定システムであって、
前記贈呈先関連データ記憶部は、
前記贈呈主が定める前記値段ランクと、その値段ランクごとの贈呈品提供数とを、前記贈呈主が操作する端末からネットワークを介して受領する依頼受領部を有する
贈呈品選定システム。
【請求項３】
請求項１記載の贈呈品選定システムであって、
前記外部のクライアントは、前記贈呈品のメーカ或いは販売業者である
贈呈品選定システム。
【請求項４】
請求項１記載の贈呈品選定システムであって、
前記メーカ情報受領部は、
前記メーカ或いは前記販売業者が前記ネットワークに接続して備えるメーカ側サーバにて更新される前記メーカ側情報を、前記メーカ側サーバから前記ネットワークを介して取り込んで更新する
贈呈品選定システム。
【請求項５】
請求項１ないし請求項４いずれか記載の贈呈品選定システムであって、
前記贈呈品サーバは、
更に、
前記贈呈品提示部が提示した贈呈品の発注と、発注贈呈品の送付に関する送付先データとの入力を、前記端末から受け付ける発注受付部と、
該受け付けた発注贈呈品についての前記贈呈品データと前記送付先データを、前記発注贈呈品のメーカが前記ネットワークに接続して備えるメーカ側サーバに送信し、該メーカ側サーバに対して前記メーカからの贈呈品発送を依頼する発送依頼部とを有する
贈呈品選定システム。
【請求項６】
請求項５記載の贈呈品選定システムであって、
前記メーカ側サーバは、
前記贈呈品サーバに対して、発送した贈呈品に対する費用請求を行う請求部を有する
贈呈品選定システム。
【請求項７】
請求項５または請求項６記載の贈呈品選定システムであって、
前記贈呈先関連データ記憶部は、
前記贈呈主からの前記贈呈品提供の依頼に際し、前記贈呈主が贈呈品提供を意図する贈呈先と、贈呈先ごとの贈呈品の前記値段ランクと、贈呈先ごとの前記送付先データとを受領すると、前記贈呈主が意図した贈呈先ごとに前記値段ランクと前記識別データと前記送付先データとを対として前記贈呈先関連データを作成・記憶し、
前記発注受付部は、
前記端末からの贈呈品発注を受けた場合、前記端末から入力のあった前記識別データと前記贈呈先関連データとに基づいて、前記端末入力の前記識別データに対応する前記送付先データを読み込み、前記端末からの前記送付先データの入力を簡略化する
贈呈品選定システム。
【請求項８】
贈呈品の提供を受ける贈呈先に対して、贈呈品の選定をネットワークを介して助力する贈呈品選定システムであって、
前記ネットワークと接続された贈呈品サーバを備え、
該贈呈品サーバは、
複数の値段ランクの各値段ランクと、各値段ランクに含まれる贈呈品を特定するための贈呈品データとを対にしたランク別贈呈品データを記憶する贈呈品データ記憶部と、
前記贈呈先への贈呈品提供を意図する贈呈主から贈呈品提供の依頼を受けると、前記贈呈主から示された贈呈品の値段ランクとその値段ランクごとの贈呈品提供数の提示を前記贈呈主から受け、前記値段ランクごとに、各値段ランクごとの前記提供数に応じたデータ数のデータ対を作成し、該データ対ごとに贈呈先識別のための識別データを対応付けた上で、前記値段ランクと前記識別データとを対にした贈呈先関連データを、前記贈呈主から示された前記値段ランクごとの贈呈品提供数に応じて前記値段ランクごとに作成し、該作成した贈呈先関連データを記憶する贈呈先関連データ記憶部と、
前記識別データを受け取った贈呈先が前記ネットワークに接続された端末を操作して行う前記識別データの入力を待機する入力待機部と、
該入力のあった前記識別データに対応する前記値段ランクを、前記贈呈先関連データ記憶部が記憶した前記贈呈先関連データに基づいて決定し、該決定した値段ランクに含まれる前記贈呈品を、前記決定した値段ランクについて前記贈呈品データ記憶部が記憶した前記ランク別贈呈品データの前記贈呈品データに基づいて、前記端末に前記ネットワークを介して提示する贈呈品提示部と、
前記識別データを記載した印刷物と、該印刷物に記載した前記識別データが対応する前記値段ランクに含まれる前記贈呈品の一部を記載した冊子とを、前記贈呈主或いは前記贈呈先に送付する送付部とを備える
贈呈品選定システム。
【手続補正２】
【補正対象書類名】明細書
【補正対象項目名】００１１
【補正方法】変更
【補正の内容】
【００１１】
贈呈品サーバは、贈呈主から値段ランクと値段ランクごとの贈呈品提供数が示されると、値段ランクごとに、各値段ランクごとの提供数に応じたデータ数のデータ対を作成し、該データ対ごとに贈呈先識別のための識別データを対応付けた上で、値段ランクと贈呈先識別のための識別データとを対にした贈呈先関連データを作成する。この贈呈先関連データは、贈呈主から示された値段ランクごとに作成されると共に、各値段ランクでは、その値段ランクごとの贈呈品提供数に応じて作成され、贈呈先関連データ記憶部に記憶される。
【手続補正３】
【補正対象書類名】明細書
【補正対象項目名】００４０
【補正方法】変更
【補正の内容】
【００４０】
図７は贈呈先に対して送られる贈呈品申込カードＺＫや贈呈案内冊子ＺＳと商品冊子ＢＳを模式的に示す説明図である。贈呈品データ記憶部１１０は、上記したステップＳ１６０において、図示するようなカードや冊子を準備し、これを贈呈主に送付する。贈呈品申込カードＺＫは、贈呈先を特定するための識別ＩＤ・ＰＷが記入済みであり、申込商品コードの記入欄や、商品（贈呈品）の送付先（住所・氏名・電話番号等）の記入欄を有する。贈呈案内冊子ＺＳには、上記の贈呈品申込カードＺＫを使った商品申込や、贈呈品選定システムＧＳを経由した贈呈品選定・発注の方法、商品冊子ＢＳ掲載商品の案内書きが記入され、識別ＩＤ・ＰＷは最終ページ裏面に記されている。この場合、贈呈案内冊子ＺＳの裏表紙ＥＰには、窓Ｗが空けられており、この窓Ｗを通して識別ＩＤだけが贈呈案内冊子ＺＳの裏表紙ＥＰ側から判読できるようにされている。商品冊子ＢＳは、贈呈品としてお勧めのベスト商品を掲載した僅かなページの小冊子であることから、贈呈品選定システムＧＳを用いることなく当該冊子により簡便に贈呈品を選定することができる。